(57)【特許請求の範囲】
【請求項１】
小便器の洗滌を行うシステムであって、
小便器の使用者を検知する人検知装置と、
小便器に供給する洗浄水を制御する制御弁と、
この制御弁を通過する洗浄水の流量を検知する流量検知装置と、
前記人検知装置からの人検知情報及び流量検知装置からの流量検知情報を受信するとともに前記制御弁に指示信号を出力する制御装置と、を備え、
前記制御装置は、前記制御弁から第１設定水量が小便器に供給された後に第１設定時間が経過すると前記制御弁に第１設定水量の放流を指示し、
小便器の使用を検知した際に、前記制御弁から第１設定水量が小便器に供給された後の小便器使用回数が第１設定回数未満の場合は第１設定水量よりも少量の第２設定水量の放流を前記制御弁に指示し、前記制御弁から第１設定水量が小便器に供給された後の小便器使用回数が第１設定回数以上の場合は第１設定水量の放流を前記制御弁に指示し、さらに前記制御装置は、小便器の使用を検知した際に、前記制御弁から第１設定水量が前記小便器に供給された後の小便器使用回数が第１設定回数よりも少数の第２設定回数以上で第１設定回数未満であり、かつ、第１設定時間よりも短い第２設定時間と第１設定時間の間であった場合、第１設定水量の放流を前記制御弁に指示する小便器洗浄システム。
【発明の詳細な説明】
【技術分野】
【０００１】
本発明は小便器の水洗式洗浄システムに関する。
【背景技術】
【０００２】
水洗式便器においては種々の水洗方式があるが、男子用小便器においては、自動水洗装置を備えたものが一般的となっている。これは、赤外線を利用した人センサを小便器の上部に設け、人センサからの信号により、小便器の利用の都度給水用電磁弁を制御して洗浄するようにしたものである。なお、一般に小便器の一回の洗浄には５ないし６リットル程度の水を使用している。
【０００３】
この方式では利用の都度自動的に水洗されるため、洗浄効果に優れている。また、この方式とは別に一定時間毎（例えば１０分ないし１５分程度）に給水用電磁弁を制御して小便器を洗浄するようにしたものがある。この方式では特定時間毎に洗浄がなされるため、トータルとして洗浄水の量が少なくて済み、また、利用者が少ない場合でも常に清涼感を維持することができるという利点がある。
【０００４】
しかし、前記した従来の洗浄装置においては、それぞれの方式固有の問題がある。すなわち、前者の使用毎に洗浄する方式では、屎尿等を迅速確実に洗い流すことができるものの、小便器の利用が立て込んだ場合には利用の都度５リットル程度の水が必要となるため、結果として大量の水が浪費されて経済性に欠けるという問題がある。
【０００５】
一方、後者の一定時間毎に洗浄する方式では、小便器の利用が立て込んだ場合には洗浄が不十分となるため、清涼感に欠けるという問題がある。
そして、これらの問題を解決した洗浄システムとして、両方式の利点を合わせたシステムが考えられた。
【０００６】
すなわち、小便器の使用毎に比較的少量の洗浄水を小便器に供給する第１制御弁と、一定時間毎に便器を完全に洗浄できる量の洗浄水を供給する第２制御弁とを設けた洗浄システムである（特許文献１参照）。
【特許文献１】特開平７−１８７１８号公報
【発明の開示】
【発明が解決しようとする課題】
【０００７】
本出願の発明者等は、前記両方式の利点を合わせた小便器用洗浄システムに関して鋭意研究の結果、さらに改善すべき点を見いだした。すなわち、使用毎の洗浄動作と、一定時間毎の洗浄動作が近時する帯域における、節水効率の向上に関してである。また、本出願の発明者等は、前記両方式の利点を合わせた小便器用洗浄システム及び周辺機器のメンテナンス性の向上について着眼した。
本発明は前記事項に鑑みなされたものであり、節水と清潔感とを両立することができる小便器洗滌システムを提供することを課題とする。また、節水と清潔感を両立するとともに、排水管の劣化を抑制できる小便器洗滌システムを提供することを課題とする。
【課題を解決するための手段】
【０００８】
本発明は、小便器の洗滌を行うシステムであって、小便器の使用者を検知する人検知装置と、小便器に供給する洗浄水を制御する制御弁と、この制御弁を通過する洗浄水の流量を検知する流量検知装置と、前記人検知装置からの人検知情報及び流量検知装置からの流量検知情報を受信するとともに前記制御弁に指示信号を出力する制御装置と、を備え、前記制御装置は、前記制御弁から第１設定水量が小便器に供給された後に第１設定時間が経過すると前記制御弁に第１設定水量の放流を指示し、さらに前記制御装置は、小便器の使用を検知した際に、前記制御弁から第１設定水量が小便器に供給された後の小便器使用回
数が第１設定回数未満の場合は第１設定水量よりも少量の第２設定水量の放流を前記制御弁に指示し、前記制御弁から第１設定水量が小便器に供給された後の小便器使用回数が第１設定回数以上の場合は第１設定水量の放流を前記制御弁に指示し、前記制御装置は、小便器の使用を検知した際に、前記制御弁から第１設定水量が小便器に供給された後の小便器使用回数が第１設定回数よりも少数の第２設定回数以上で第１設定回数未満であり、かつ、第１設定時間よりも短い第２設定時間と第１設定時間の間であった場合、第１設定水量の放流を前記制御弁に指示する小便器洗浄システムとした。ここで、前記第２設定時間は、例えば、第２設定水量を第１設定水量にて除した値ｐに、第１設定時間を乗じて値ｓを求め、さらに第１設定時間から値ｓを減じて得ることができる。
【発明の効果】
【００１０】
本発明によれば、清潔感及び節水効果に優れた小便器用洗浄システムを提供することができる。
【発明を実施するための最良の形態】
【００１１】
以下、本発明の小便器用洗滌システムを図１〜図３に示される実施形態について更に詳細に説明する。
【００１２】
図１に示すように、駅構内等のトイレに設置された小便器３は、基端を上水道本管１側に連通する配水管４に接続している。
【００１３】
この排水管４の途中には、小便器３方向への給水の供給及び停止を制御する制御弁ユニット２が介挿されている。この制御弁ユニット２は、電磁弁を備えており、制御装置５からの指令により電磁弁を開閉して給水制御を行う。
【００１４】
また、制御弁ユニット２は、配水管４内を通過する洗滌水の流量を検出する流量検出部１２を備えている。この流量検出部１２は、管内を通過する水流によって駆動される回転翼車を有しており、この回転翼車の回転数を検出することにより、通過流量を検出できるようになっている。通過流量は、回転翼車の１回転毎に送信されるパルス信号を制御装置５が受信し、単位時間当たりの回転数に基づき計算される。
【００１５】
なお、流量検出部としては、回転翼車を設けずに、タイマー部のみの構成とすることもできる。すなわち、予め、単位時間あたりの制御弁ユニット２を通過する流量を算出しておき、予定流量に相応する時間だけ電磁弁を開放するものである。
【００１６】
ここで、制御装置５の構成を説明する。制御装置５は、制御弁ユニット２の電磁弁に信号を出力すると共に流量検出部１２及び人検知センサ６からの信号を入力するＩ／０部と、各種データ処理を行うマイクロプロセッサと、このマイクロプロセッサを動作させるために必要なデータを収容するＲＡＭ(randum access memory)及びＲＯＭ(read only memory)と、これらを接続するバスとを備えている。
【００１７】
次に、制御装置５の制御を中心に、図２及び図３のフローチャートに基づき本システムの動作を説明する。
本システムが起動されると、図２に示すように、制御装置５は、予め設定した第１設定時間Ｔ１（例えば１５分）が経過したか否かを判断する（ステップＳ１０１）。ステップ
Ｓ１０１の肯定枝はステップＳ１０２に移行し、否定枝はステップＳ１０１の処理を繰り返す。
【００１８】
ステップ１０２では、制御装置５は、制御弁ユニット２の電磁弁に指示信号を出力し、電磁弁を開放して、配水管４の洗滌水を小便器３に供給する。この際、制御装置５は、制御弁ユニット２の流量検出部１２からの信号に基づき、第１の設定流量（例えば５リットル）が制御弁ユニット２を通過したと判断したときに、電磁弁を閉鎖して、小便器３への洗滌水の供給を停止する。そして、制御装置５は、ステップ１０３にて時間ｔを０に更新して、ステップ１０１からの処理を繰り返す。すなわち、制御装置５は、１５分毎に５リットルの洗浄水を小便器３に供給するものである。
【００１９】
次に、図３のフローチャートに基づき、本システムの動作をさらに説明する。
制御装置５は、人検知センサ６からの信号をセンシングすることにより、使用者が小便器３の前方に位置したか否かを判断する（ステップ２０１）。制御装置５は、例えば５秒間人検知センサ６が小便器３前方の所定範囲内に物体（人）を検知した場合に、使用者を検知したものと判断し、単に小便器３の前を通過した人を検知する等の誤作動を防止している。
【００２０】
制御装置５が、小便器３が使用されていると判断した場合は、小便器３の使用回数ｎに「１」を加算して、新たなカウント値ｎを得る（ステップ２０２）。そして、制御装置５は、人検知センサ６からの信号が停止したことを受けて排尿が終了したものと判断する（ステップ２０３）。
【００２１】
次に、制御装置５は、ステップ２０２において得たカウント値ｎが、予め設定した回数である第１設定回数Ｎ１（例えば１０回）となったか否かを判断する（ステップ２０４）。制御装置５は、カウント値ｎが第１設定回数Ｎ１であった場合は、ステップ２０８に移行して、第１の設定水量（例えば５リットル）を小便器３に供給するよう制御弁ユニット２を制御する。そして、カウント値ｎを０に戻す（ステップ２０９）と共に、経過時間ｔを０に戻す（ステップ２１０）。
【００２２】
また、ステップ２０４においてカウント値がＮ１でなかった場合は、ステップ２０５に移行して、予め設定した回数である第２設定回数Ｎ２（例えば９回）以上であるか否かを判断する。カウント値ｎが第２設定回数Ｎ２未満（例えば８回以下）であった場合は、制御装置５は、比較的少量の第２設定水量（例えば１リットル）が小便器３に供給されるように、制御弁ユニット２の電磁弁を制御する（ステップ２０６）。
【００２３】
一方、ステップ２０５において、カウント値ｎがＮ２以上（例えば９回）であった場合は、ステップ２０７に移行して、さらに経過時間ｔについて判断する。制御装置５は、第１設定水量が小便器３に供給された後に経過した時間ｔが、第２設定時間（例えば１４分）以上で第１設定時間（例えば１５分）未満であると判断した場合（ステップ２０７の肯定枝）は、第１の設定水量（５リットル）が小便器３に供給されるように制御弁ユニット２の電磁弁を制御する（ステップ２０８）。そして、カウント値ｎを０に戻す（ステップ２０９）と共に、経過時間ｔを０に戻す（ステップ２１０）。
【００２４】
また、制御装置５は、ステップ２０７において、経過時間ｔが第２設定時間以上で第１設定時間未満でなかった場合（すなわち第２設定時間未満であった場合。例えば１０分）、ステップ２０６に移行して、第２の設定水量（例えば１リットル）を小便器３に供給するよう制御弁ユニット２の電磁弁を制御する。
【００２５】
そして、ステップ２０６及びステップ２１０の後段は、ステップ２０１にループする。
このように本実施形態の小便器用洗滌システムによれば、小便器３の使用の都度に少量の洗浄水を流して清潔感を保つと共に、一定時間毎に充分な水量を小便器３に流して確実な洗浄を行う。
【００２６】
さらに、本小便器用洗浄システムによれば、使用者が立て込んだ場合は、設定時間に若干満たない場合であっても、排便終了後の洗浄水量を充分な水量（５リットル）としたうえで、経過時間ｔを積算しなおすので、短時間内に続けて洗浄水が放流（例えば１分以内に（１＋５リットル））されることを防止でき、長時間でみた場合の使用水量を抑制することができる。また、本小便器用洗浄システムは、設定時間とならなくても、一定の使用回数に至った場合は充分な水量を小便器３に供給するので、小便器３に接続する排水管内の残存屎尿が概ね一定量（所定人数分の残存屎尿量）となる前に、排水本管側に排出することができ、節水効果を維持しつつ排水管の劣化を抑制することができる。
【００２７】
また、本実施形態では、所定時間毎に小便器の洗滌が行われるようにしたが、例えば利用者数が少ない時間帯には、第１設定時間を長めに設定してもよい。また、第１設定回数は、例えば、２０回、３０回等、任意の回数に設定することができる。
【図面の簡単な説明】
【００２８】
【図１】本発明の実施の形態における小便器洗滌システムの構成図。
【図２】本実施形態の制御装置における第１のフローチャート図。
【図３】本実施形態の制御装置における第２のフローチャート図。
【符号の説明】
【００２９】
２    制御弁ユニット
３    小便器
５    制御装置
６    人検知センサ
１２  流量検出部
【図１】
0005128884.tif 000002
【図２】
0005128884.tif 000003
【図３】
0005128884.tif 000004